(57)【要約】【課題】小型でかつ効果的な分煙が可能な遊技機用分煙装置を提供する。【解決手段】遊技機用分煙装置２０は隣り合う遊技機の境界に設置され、遊技機用分煙装置正面の手前所定範囲の空間を仕切る表示パネル３１と、表示パネル３１の下方に配置された送風ユニット４０とを有する。送風ユニット４０は、表示パネル３１の面に沿って下方から上方および斜め手前上方に向かう空気流を発生させる。表示パネル３１には、遊技者が保有する遊技価値を表す情報（持玉の絵柄）が表示される。【選択図】図１８
2012249650.tif 000002
【特許請求の範囲】
【請求項１】
隣り合う遊技機の境界で遊技機正面の手前所定範囲の空間を仕切る仕切板と、
前記仕切板に沿った空気流を発生させる送風ユニットと、
を有する
ことを特徴とする遊技機用分煙装置。
【請求項２】
前記送風ユニットは、前記仕切板の下側から上側に向かう空気流を発生させる
ことを特徴とする請求項１に記載の遊技機用分煙装置。
【請求項３】
前記送風ユニットは、前記遊技機の正面に近づく向きの空気流が生じないように風向が設定されている
ことを特徴とする請求項１または２に記載の遊技機用分煙装置。
【請求項４】
前記送風ユニットは、前記遊技機の正面から遠ざかる方向成分を含む空気流であって、仕切板に沿って流れた後にさらに仕切板の外へ向かって流れる空気流を生じさせる
ことを特徴とする請求項１乃至３のいずれか１つに記載の遊技機用分煙装置。
【請求項５】
前記送風ユニットは、前記仕切板の一方の面に沿ってのみ前記空気流を発生させる
ことを特徴とする請求項１乃至４のいずれか１つに記載の遊技機用分煙装置。
【請求項６】
前記一方の面は、前記遊技機の左右の側部のうち操作ハンドルから遠い方の側部側の面である
ことを特徴とする請求項５に記載の遊技機用分煙装置。
【請求項７】
前記仕切板の下方に前記送風ユニットを配置すると共に、前記送風ユニットは遊技機の正面から遠ざかる斜め上向きの空気流を吹き出し、
前記仕切板の下端部は、前記送風ユニットの吹出口よりも前記遊技機の正面から離れる方向へ突出して存在する
ことを特徴とする請求項４に記載の遊技機用分煙装置。
【請求項８】
前記遊技機が稼動中か否かを判定し、
稼動中の場合のみ前記送風ユニットを動作させる
ことを特徴とする請求項１乃至７のいずれか１つに記載の遊技機用分煙装置。
【請求項９】
遊技機間に設けられ、前記仕切板と前記送風ユニットをそれぞれ、内部に収納した収納状態と前記遊技機の正面が臨む方向へ突出させた突出状態とに出し入れ可能に収納する本体部を有する
ことを特徴とする請求項１乃至８のいずれか１つに記載の遊技機用分煙装置。
【請求項１０】
前記送風ユニットが前記収納状態にあるか前記突出状態にあるかを検知する検知部を有し、
前記送風ユニットが前記収納状態にあるときは、他の動作条件に優先して前記送風ユニットを停止させる
ことを特徴とする請求項９に記載の遊技機用分煙装置。
【請求項１１】
前記仕切板は前記遊技機で遊技を行う遊技者が保有している遊技価値を表示するための表示パネルを有し、
前記表示パネルの表示状態を制御する表示制御部をさらに有し、
前記表示制御部は、前記遊技機で遊技を行う遊技者が保有している遊技価値を前記表示パネルに表示する
ことを特徴とする請求項１乃至１０のいずれか１つに記載の遊技機用分煙装置。
【請求項１２】
前記表示パネルは、球箱を複数積み上げた状態を模擬表示可能であり、
前記表示制御部は、前記表示パネルにおいて前記球箱単位に遊技価値を表示する
ことを特徴とする請求項１１に記載の遊技機用分煙装置。
【請求項１３】
前記表示パネルは、玉箱単位に遊技価値の表示色を切り替え可能であり、
前記表示制御部は、玉箱単位に遊技価値の表示色を切り替えることで、前記複数積み上げられた玉箱の数より多い玉箱数分の遊技価値を表示する
ことを特徴とする請求項１２に記載の遊技機用分煙装置。
【請求項１４】
前記表示パネルは、光を透過すると共に空間を仕切る役割を果たす導光板と、該導光板の端面から該導光板の内部に向けて光を照射する光源部とを備え、
前記導光板には、前記玉箱単位に遊技価値が描かれており、
前記導光板には、隣り合う前記玉箱の間を区切る空間部が穿孔されており、
前記光源部は、前記玉箱単位に点灯制御可能に分割されており、
前記表示制御部は、前記玉箱単位に前記光源部を点灯制御する
ことを特徴とする請求項１２または１３に記載の遊技機用分煙装置。
【請求項１５】
前記導光板に、前記玉箱単位の遊技価値が描かれたフィルムシートを貼着する
ことを特徴とする請求項１４に記載の遊技機用分煙装置。
【発明の詳細な説明】
【技術分野】
【０００１】
本発明は、遊技場などに設置された隣り合う遊技機間での分煙を図る遊技機用分煙装置に関する。
【背景技術】
【０００２】
パチンコ機やスロットマシンが並ぶ遊技場では、遊技客の吸っているタバコの煙が隣の遊技機で遊技をする遊技客の迷惑になることがあり、その対策が考案されている。
【０００３】
たとえば、隣り合う遊技機同士の境界部にエアの吹出口を設け、該吹出口からエアを吹き出して、隣り合う遊技機の境界部にエアカーテンを生じさせるタバコの煙遮断装置がある（特許文献１参照。）。
【０００４】
また、特許文献２は、タバコの煙の遮断を目的とするものではないが、隣り合う遊技機の間に立設した表示板に広告や演出表示を行う装置が開示されている。
【先行技術文献】
【特許文献】
【０００５】
【特許文献１】特許第２９１６１２８号
【特許文献２】特開２００９−１８９６６９号公報
【発明の概要】
【発明が解決しようとする課題】
【０００６】
エアカーテンによってタバコの煙を遮断するには、エアを強く吹き出す必要があり、大型のファンを要して装置が大掛かりになってしまう。一方、小さいファンではエアが弱いため、エアカーテンとしての機能が十分でなく、煙が隣の遊技客の方へ漏れてしまう。
【０００７】
また、遊技機の間に立設された表示板は一定の分煙の効果を奏するが、表示板が大きくなければ、特に、遊技機境界部で遊技機の正面が臨む方向へ大きく突出しなければ、十分な分煙効果を得ることはできない。また、単に表示板で分離するだけでは煙が停留して喫煙者自身も不快になることがある。さらに、煙が表示板に直接当たるため、表示板が汚れ易い。
【０００８】
本発明は、上記の問題を解決しようとするものであり、小型でかつ効果的な分煙が可能な遊技機用分煙装置を提供することを目的としている。
【課題を解決するための手段】
【０００９】
かかる目的を達成するための本発明の要旨とするところは、次の各項の発明に存する。
【００１０】
［１］隣り合う遊技機の境界で遊技機正面の手前所定範囲の空間を仕切る仕切板と、
前記仕切板に沿った空気流を発生させる送風ユニットと、
を有する
ことを特徴とする遊技機用分煙装置。
【００１１】
上記発明では、仕切板とこの仕切板に沿った空気流とを併用した分煙が行われる。仕切板単独で分煙する場合に比べて、仕切板のサイズ、特に遊技機正面手前側への突出量を少なくできる。また、仕切板に沿って空気を流すので、エアカーテン単独で煙を遮る場合に比べて、弱い空気流で煙を遮ることができる。また、仕切板に沿って空気流を生じさせるので、煙が直接、仕切板に当たらず、仕切板の汚れを防止することができる。
【００１２】
［２］前記送風ユニットは、前記仕切板の下側から上側に向かう空気流を発生させる
ことを特徴とする［１］に記載の遊技機用分煙装置。
【００１３】
上記発明では、仕切板に沿って下から上に向かう空気流が発生する。タバコの煙は、上に向かって進むので、下から上に向かう空気流により、効率良く煙を誘導して分煙することができる。
【００１４】
［３］前記送風ユニットは、前記遊技機の正面に近づく向きの空気流が生じないように風向が設定されている
ことを特徴とする［１］または［２］に記載の遊技機用分煙装置。
【００１５】
上記発明では、遊技機の正面に近づく向きの空気流はその遊技機等の正面に当たって反射し、他の方向に吹き出した空気流と衝突して、空気の流れを不安定にしたり、空気流を停滞させたり、拡散させたりする。そこで、本発明では遊技機の正面側の向かう空気流が生じないように風向を設定している。
【００１６】
［４］前記送風ユニットは、前記遊技機の正面から遠ざかる方向成分を含む空気流であって、仕切板に沿って流れた後にさらに仕切板の外へ向かって流れる空気流を生じさせる
ことを特徴とする［１］乃至［３］のいずれか１つに記載の遊技機用分煙装置。
【００１７】
上記発明では、遊技機の正面から遠ざかる方向成分を含む空気流は、当初、仕切板に沿って流れる。この間に空気の流れが仕切板によって規制される。これにより、仕切板の外へ流れ出た後も、空気流の方向性が安定し、また拡散が防止される。すなわち、仕切板の存在領域を超える範囲についても、安定した空気流でエアカーテンを形成することができ、分煙範囲を効率良く広げることができる。
【００１８】
［５］前記送風ユニットは、前記仕切板の一方の面に沿ってのみ前記空気流を発生させる
ことを特徴とする［１］乃至［４］のいずれか１つに記載の遊技機用分煙装置。
【００１９】
上記発明では、仕切板の一方の面に空気流を集中させるので、両面に沿って空気流を流す場合に比べて、ファンやモータを小型化し送風能力を小さくしても、安定した空気の流れを形成することができる。
【００２０】
［６］前記一方の面は、前記遊技機の左右の側部のうち操作ハンドルから遠い方の側部側の面である
ことを特徴とする［５］に記載の遊技機用分煙装置。
【００２１】
上記発明では、喫煙する遊技者は、通常、操作ハンドルを操作する手と反対の手でタバコを持つので、遊技者が持っているタバコに近い側の面に沿って空気流を発生させる。これにより、空気流によって効率よく排煙することができる。
【００２２】
［７］前記仕切板の下方に前記送風ユニットを配置すると共に、前記送風ユニットは遊技機の正面から遠ざかる斜め上向きの空気流を吹き出し、
前記仕切板の下端部は、前記送風ユニットの吹出口よりも前記遊技機の正面から離れる方向へ突出して存在する
ことを特徴とする［４］に記載の遊技機用分煙装置。
【００２３】
上記発明では、仕切板と送風ユニットとを上記のような位置関係で配置することで、正面手前側に吹き出された空気についても、当初は仕切板に沿って流れる。これにより、［４］に記載の空気の流れを生成することができる。
【００２４】
［８］前記遊技機が稼動中か否かを判定し、
稼動中の場合のみ前記送風ユニットを動作させる
ことを特徴とする［１］乃至［７］のいずれか１つに記載の遊技機用分煙装置。
【００２５】
上記発明では、遊技機が稼動中、すなわち、遊技機の前に遊技客が居るときのみ送風ユニットを稼動させるので、省電力に貢献する。
【００２６】
［９］遊技機間に設けられ、前記仕切板と前記送風ユニットをそれぞれ、内部に収納した収納状態と前記遊技機の正面が臨む方向へ突出させた突出状態とに出し入れ可能に収納する本体部を有する
ことを特徴とする［１］乃至［８］のいずれか１つに記載の遊技機用分煙装置。
【００２７】
上記発明では、仕切板および送風ユニットは本体部に出し入れ可能になっている。たとえば、天板の清掃や隣接する遊技機の前扉を開いて点検する場合などに、送風ユニットや仕切板を収納する。
【００２８】
［１０］前記送風ユニットが前記収納状態にあるか前記突出状態にあるかを検知する検知部を有し、
前記送風ユニットが前記収納状態にあるときは、他の動作条件に優先して前記送風ユニットを停止させる
ことを特徴とする［９］に記載の遊技機用分煙装置。
【００２９】
上記発明では、収納状態で送風ユニットが作動することが防止される。
【００３０】
［１１］前記仕切板は前記遊技機で遊技を行う遊技者が保有している遊技価値を表示するための表示パネルを有し、
前記表示パネルの表示状態を制御する表示制御部をさらに有し、
前記表示制御部は、前記遊技機で遊技を行う遊技者が保有している遊技価値を前記表示パネルに表示する
ことを特徴とする［１］乃至［１０］のいずれか１つに記載の遊技機用分煙装置。
【００３１】
上記発明では、仕切板は、遊技機で遊技を行う遊技者が保有している遊技価値を表示する機能を併せ持つので、別体の表示部を設ける場合に比べて、スペースを有効利用することができる。また、各台計数機や封入式遊技機においても、遊技者の保有する遊技価値を表示することで、出玉感を遊技者に与えることができる。
【００３２】
［１２］前記表示パネルは、球箱を複数積み上げた状態を模擬表示可能であり、
前記表示制御部は、前記表示パネルにおいて前記球箱単位に遊技価値を表示する
ことを特徴とする［１１］に記載の遊技機用分煙装置。
【００３３】
上記発明では、玉箱単位の遊技価値を表示するので、より一層、実際の出玉に近い出玉感を遊技者に与えることができる。
【００３４】
［１３］前記表示パネルは、玉箱単位に遊技価値の表示色を切り替え可能であり、
前記表示制御部は、玉箱単位に遊技価値の表示色を切り替えることで、前記複数積み上げられた玉箱の数より多い玉箱数分の遊技価値を表示する
ことを特徴とする［１２］に記載の遊技機用分煙装置。
【００３５】
上記発明では、玉箱単位に遊技価値の表示色を切り替えることで、限られた表示スペースで、より多くの玉箱数を表現することができる。
【００３６】
［１４］前記表示パネルは、光を透過すると共に空間を仕切る役割を果たす導光板と、該導光板の端面から該導光板の内部に向けて光を照射する光源部とを備え、
前記導光板には、前記玉箱単位に遊技価値が描かれており、
前記導光板には、隣り合う前記玉箱の間を区切る空間部が穿孔されており、
前記光源部は、前記玉箱単位に点灯制御可能に分割されており、
前記表示制御部は、前記玉箱単位に前記光源部を点灯制御する
ことを特徴とする［１２］または［１３］に記載の遊技機用分煙装置。
【００３７】
上記発明では、導光板に描かれた玉箱単位の遊技価値を表す絵柄が、光源部からの光によって発光する。これにより、簡単な構成で綺麗な表示が可能になる。また、隣り合う玉箱の間に空間部を設けたので、該空間部が光を遮り、ある１つの玉箱に対応する光源部の光が隣の玉箱の領域へ漏れ出ることが防止され、玉箱単位に区切られた表示が確保される。特に、隣の玉箱と異なる色で光源を点灯させた場合でも、混色が生じ難い。
【００３８】
［１５］前記導光板に、前記玉箱単位の遊技価値が描かれたフィルムシートを貼着する
ことを特徴とする［１４］に記載の遊技機用分煙装置。
【００３９】
上記発明では、導光板に直接描く場合に比べて、玉箱単位の遊技価値の絵柄等を容易に導光板上に設けることができる。また、フィルムシートであれば、張り替えも可能になる。
【発明の効果】
【００４０】
本発明に係る遊技機用分煙装置によれば、仕切板や送風ユニットの小型化を図りながら、効率的な分煙を実現することができる。
【図面の簡単な説明】
【００４１】
【図１】本発明の実施の形態に係る遊技機用分煙装置が設置された遊技機島の全体構成を示している。
【図２】遊技機島の島端近傍部分の部分拡大図である。
【図３】遊技機用分煙装置の正面および平面図である。
【図４】仕切板ユニットおよび送風ユニットが収納状態の遊技機用分煙装置を右斜め前方から見た斜視図である。
【図５】仕切板ユニットおよび送風ユニットが収納状態の遊技機用分煙装置を左斜め前方から見た斜視図である。
【図６】仕切板ユニットおよび送風ユニットが突出状態の遊技機用分煙装置を右斜め前方から見た斜視図である。
【図７】仕切板ユニットおよび送風ユニットが突出状態の遊技機用分煙装置を左斜め前方から見た斜視図である。
【図８】併設された状態の遊技機、遊技媒体貸機、遊技機用分煙装置を、遊技機の右側部手前から見た様子を示す図である。
【図９】筐体部の右側面板を外しかつ仕切板ユニットおよび送風ユニットが収納状態の遊技機用分煙装置の右側面図である。
【図１０】筐体部の右側面板を外しかつ仕切板ユニットおよび送風ユニットが突出状態の遊技機用分煙装置の右側面図である。
【図１１】筐体部の右側面板を外しかつ仕切板ユニットおよび送風ユニットが収納状態の遊技機用分煙装置を右斜め前方から見た斜視図である。
【図１２】筐体部の右側面板を外しかつ仕切板ユニットおよび送風ユニットが突出状態の遊技機用分煙装置を右斜め前方から見た斜視図である。
【図１３】仕切板ユニットの分解斜視図である。
【図１４】表示パネルに遊技価値表示絵柄の描かれたフィルムシートを貼り付ける場合の一例を示す説明図である
【図１５】表示パネルに遊技価値表示絵柄の描かれたフィルムシートを貼り付ける場合の他の例を示す説明図である
【図１６】遊技機用分煙装置の制御部と遊技機等との接続例を示す信号配線図である。
【図１７】遊技機が封入式のパチンコ機である場合の遊技機用分煙装置の制御部と遊技機等との接続例を示す信号配線図である。
【図１８】仕切板ユニットと送風ユニットをそれぞれ突出状態にして送風ユニットを稼動させた場合の空気の流れを示す説明図である。
【図１９】遊技機用分煙装置の正面に向かって斜め上方に進む空気流が発生する場合の空気の流れを示す説明図である。
【図２０】送風ユニットから斜め手前上方に吹き出された空気の流れを示す説明図である。
【図２１】送風ユニットと仕切板ユニットとの左右方向の位置関係を示す説明図である。
【図２２】各玉箱数を表示する際の点灯状態と発光色との関係を示す一覧表を表す図である。
【図２３】設定別に玉箱数と点灯色（点滅を含む）との関係を示す説明図である。
【発明を実施するための形態】
【００４２】
以下、図面に基づき本発明の実施の形態を説明する。
【００４３】
図１は、本発明の実施の形態に係る遊技機用分煙装置２０が設置された遊技機島２の全体構成を示している。図２は、遊技機島２の島端近傍部分を拡大して示している。遊技機島２は、パチンコ機などの遊技機３と、遊技者に遊技媒体（ここでは、遊技球）を貸し出す遊技媒体貸機４と、遊技機用分煙装置２０とを一組にしたものを、互いが背中合わせになるようにして表裏面に複数組併設収容する。
【００４４】
ここでは、図２に示すように、遊技機３の左側に遊技媒体貸機４を、さらにその左側に遊技機用分煙装置２０を併設したものが一組となっている。また、それぞれの遊技機３の正面下部前方には、その遊技機３で遊技を行う遊技者が獲得した遊技球が投入される玉箱５が設置されている。遊技媒体貸機４は、遊技者が獲得した遊技球の個数を計数する計数機（各台計数機）としての機能も備えており、玉箱５から排出された遊技球は計数機排出管５ｂを通じて遊技媒体貸機４の計数機部に至り、計数される。
【００４５】
遊技機島２は、図１に示すように、島中央上部に設けられた上部タンク６に貯留されている遊技球を遊技機３や遊技媒体貸機４に搬送して補給する補給路７、遊技機３の下方に設置されて遊技機３や計数機から排出された遊技球を回収する回収路８、回収された遊技球を研磨しながら上部タンク６へ揚送する揚送装置９、余剰の遊技球を貯留する下部貯留タンク１１などを備えている。これらにより、遊技球を遊技機島２内で循環使用するようになっている。また、遊技機島２内には、各遊技球貸機４の背面から排出される紙幣や硬貨を遊技機島２の端部に設けられた紙幣金庫１２や硬貨金庫１３へ搬送する搬送装置１４が設けてある。
【００４６】
本例の遊技機３は、図２に示すように、パチンコ機であり、中央に、遊技者の発射操作によって打ち出された遊技球が移動しながら流下する遊技領域としての遊技盤１６を備えている。また、遊技機３の正面右下部には、遊技球の発射操作を行うためのハンドル１７が設けてある。遊技機３の正面左下部には、タバコの灰皿１８が設けてある。
【００４７】
通常、遊技者は、遊技機３の前に設置された椅子に、遊技機３正面に向かう姿勢で腰掛け、右手でハンドル１７を操作して遊技を行う。また、遊技しながら喫煙する場合、通常は、空いている左手でタバコを持つ。そのため、灰皿１８は遊技機３の正面左側の下部に設けてある。
【００４８】
遊技機用分煙装置２０は、各遊技機３の左側に併設（遊技媒体貸機４を介して併設）してあり、隣り合う遊技機３と遊技機３との境界でタバコの煙を分煙する機能を果たす。以下、遊技機用分煙装置２０の構成・機能について説明する。
【００４９】
図３は、遊技機用分煙装置２０の正面および平面図であり、図４は後述する仕切板ユニット３０および送風ユニット４０を収納した状態の遊技機用分煙装置２０を右斜め前方から見た斜視図であり、図５は仕切板ユニット３０および送風ユニット４０を収納した状態の遊技機用分煙装置２０を左斜め前方から見た斜視図である。図６は、仕切板ユニット３０および送風ユニット４０を正面手前（正面が臨む方向）に引き出して突出させた状態の遊技機用分煙装置２０を右斜め前方から見た斜視図であり、図７は、仕切板ユニット３０および送風ユニット４０を正面手前に引き出して突出させた状態の遊技機用分煙装置２０を左斜め前方から見た斜視図である。
【００５０】
遊技機用分煙装置２０は、遊技機３とほぼ同一の高さの薄型矩形の箱形状を成した筐体部２１と、筐体部２１の正面に開設された縦長幅細の矩形の開口２２を通じて、筐体部２１内に収納された収納状態と筐体部２１から正面前方へ突出した突出状態とに出し入れ可能な仕切板ユニット３０と、仕切板ユニット３０の下方にあって、仕切板ユニット３０と同じく、収納状態と突出状態とに出し入れ可能な送風ユニット４０とを備えている。
【００５１】
本例では、筐体部２１は、高さ８１０ｍｍ、幅４０ｍｍ、奥行き２００ｍｍ程度の大きさを備えている。
【００５２】
仕切板ユニット３０は、隣接する遊技機間を仕切る仕切板として表示パネル３１を備えている。表示パネル３１は、高さ６００ｍｍ、厚さ７ｍｍ、奥行き１９０ｍｍ程度の大きさの略矩形の板形状を成している。この表示パネル３１は、遊技機用分煙装置２０の正面手前側の端部が正面手前側に凸となるように緩やかに湾曲している。表示パネル３１の収納状態における筐体部２１の正面からの突出量は約１５ｍｍ、突出状態での突出量は約１７０ｍｍほどになっている。
【００５３】
送風ユニット４０は、高さ１１０ｍｍ、幅２５ｍｍ、奥行き１７０ｍｍほどで正面部の上端が下部より正面手前側へ突出するように傾斜した台形箱型を成している。送風ユニット４０は、収納状態では、正面部上端が筐体部２１の正面より約２０ｍｍほど突出し、手前に引き出した突出状態での突出量は約１００ｍｍになる。突出状態の送風ユニット４０の突出量は、突出状態の表示パネル３１の突出量より少なくなっている。
【００５４】
送風ユニット４０は引き出して突出状態にすると自動的に簡易ロックされ、遊技客が容易に収納状態へ押し戻すことができなくなっている。
【００５５】
送風ユニット４０の上面は空気の吹出口４１になっており、吹出口４１の内部には、風向きを規制するための整流板４２が所定間隔で複数枚配列されている。送風ユニット４０には、送風羽と、この送風羽を回転させるモータが内蔵されている。送風ユニット４０の左側面には吸気口４３が設けてある。
【００５６】
送風ユニット４０は、図３の正面図から分かるように、仕切板ユニット３０の表示パネル３１の左側面と、送風ユニット４０の左側面とがほぼ同一平面となり、送風ユニット４０の右側が表示パネル３１の右側面より右側へ突出するように、表示パネル３１に対して送風ユニット４０の中心が右側に片寄せて配置されている。
【００５７】
遊技機用分煙装置２０の筐体部２１の正面には、仕切板ユニット３０を出し入れするための開口２２の約半分の高さを有する縦長幅細の矩形の開口が開設されており、その内部はＰＯＰ広告板を収納するＰＯＰ広告収納部２３となっている。
【００５８】
図８は、併設された状態の遊技機３、遊技媒体貸機４、遊技機用分煙装置２０を、遊技機３の右側面を臨む方向から見た様子を示しており、図８（ａ）は、仕切板ユニット３０および送風ユニット４０の収納状態を、図８（ｂ）は突出状態を示している。
【００５９】
図８（ｂ）のように仕切板ユニット３０を突出状態にすることで隣り合う遊技機３の境界において表示パネル３１が遊技機３正面の手前所定範囲の空間を仕切るようになる。遊技機用分煙装置２０の仕切板ユニット３０を突出状態にしたときの仕切板ユニット３０の表示パネル３１の突出量は比較的少なく、遊技機３の上皿などよりも少し手前に突出する程度になっている。
【００６０】
図９、図１０は、筐体部２１の右側面板を外した状態の遊技機用分煙装置２０の右側面図であり、図９では仕切板ユニット３０および送風ユニット４０は収納状態、図１０では突出状態となっている。また、図１１、図１２はそれぞれ、筐体部２１の右側面板を外した状態の遊技機用分煙装置２０を右斜め前方から見た斜視図である。図１１では仕切板ユニット３０および送風ユニット４０は収納状態、図１２では突出状態となっている。
【００６１】
筐体部２１の内部には、仕切板ユニット３０を出し入れ可能に支持する上下一組のガイドレール２４、および、送風ユニット４０を出し入れ可能に支持する支持レール２５が設けてある。また、送風ユニット４０が収納状態にあるか否かを検知する収納検知部２６が設置されている。収納検知部２６の検知方式は任意で良い。たとえば、収納状態では送風ユニット４０に当接し、突出状態では送風ユニット４０に当接しないアクチュエータによってオンオフされるスイッチ、収納状態の送風ユニット４０によって光が遮られる光センサなどを使用することができる。
【００６２】
図１３は、仕切板ユニット３０の分解斜視図である。仕切板ユニット３０は、表示パネル３１と光源部ユニット３２とから構成される。表示パネル３１は、透明（好ましくは無色透明）な素材で形成されており、光を透過する導光板となっている。表示パネル３１は、たとえば、樹脂で形成される。強化ガラスなどでもかまわない。樹脂の場合、アクリルやポリカーボネイトが好適である。
【００６３】
表示パネル３１は、遊技機３で遊技を行う遊技者が保有している遊技価値を表示する。ここでは、表示パネル３１は、玉箱を複数積み上げた状態を模擬表示する。具体的には、玉箱内に積み重なって収納された遊技球を表わす絵柄（遊技価値表示絵柄３３）を、玉箱単位の遊技価値として、複数段に積み重ねて表示する。図１３の表示パネル３１では、遊技価値表示絵柄３３を８段に積み上げて描いてある。
【００６４】
表示パネル３１のうち、積み重ねた遊技価値表示絵柄３３と遊技価値表示絵柄３３との間の部分には、隣り合う遊技価値表示絵柄３３を区切るスリット状の空間部３４が穿孔されている。
【００６５】
光源部ユニット３２は、フレーム３５と、フレーム３５に配設された光源部３６とを備えている。フレーム３５は、細長板状の基部３５ａと、基部３５ａの両端から基部３５ａに対して垂直にかつ同方向に延びる一対の腕部３５ｂとから構成される。
【００６６】
一対の腕部３５ｂの間隔は、表示パネル３１の上下の縁部を上下から丁度挟み込む間隔に設定されている。一対の腕部３５ｂの間に表示パネル３１を、奥側の縁部端面３１ａが基部３５ａに当接するまで挿入することで、フレーム３５と表示パネル３１とが一体に組み立てられる。
【００６７】
フレーム３５の基部３５ａには、光源部３６を成す多数のＬＥＤ（Light Emitting Diode）が配設されている。光源部３６の各ＬＥＤは、表示パネル３１の端面３１ａから表示パネル３１の内部に向けて光を照射する。
【００６８】
光源部３６は、表示パネル３１に描かれた各遊技価値表示絵柄３３に対応するように複数のブロックに分割（本例では８ブロックに分割）して配置されており、ブロック単位に、すなわち、玉箱に対応する遊技価値表示絵柄３３毎に個別に点灯制御可能になっている。また、光源部３６を成すＬＥＤは、遊技価値表示絵柄３３に対応する箇所のみに配設されており、空間部３４に対応する箇所には存在しない。
【００６９】
光源部３６を成すＬＥＤは、赤、緑、青およびこれらを組み合わせた各種の色を発光可能になっている。ＬＥＤに接続された配線３６ｂは、結束されて光源部ユニット３２の一箇所から外部へ延びている。配線３６ｂは後述する制御部５０に接続される。
【００７０】
図１４、図１５は、表示パネル３１に遊技価値表示絵柄３３の描かれたフィルムシートを貼り付ける場合の例を示している。一方の面に遊技価値表示絵柄３３の絵柄がプリントされた透明な樹脂製のフィルムシート３７を表示パネル３１に貼り付けることで、表示パネル３１に遊技価値表示絵柄３３の絵柄が設けられる。たとえば、遊技価値表示絵柄３３はシルクスクリーン印刷によりフィルムシート３７に描かれる。フィルムシート３７とすることで張替えが容易で便利である。
【００７１】
図１４は、玉箱単位に略矩形に切り取ったフィルムシート３７ａを貼り付ける場合を、図１５は、遊技球を積み重ねた遊技価値表示絵柄３３の外形に沿って切り抜いたフィルムシート３７ｂを貼り付ける場合を例示している。このほか、表示パネル３１に描くべき遊技価値表示絵柄３３がすべて描かれた１枚のフィルムシートを表示パネル３１に貼り付けるように構成されてもよい。この場合、予め各空間部３４に対応する細穴をフィルムシートに開設しておくことが望ましい。また、表示パネル３１に直接、遊技価値表示絵柄３３の絵柄を印刷してもよい。
【００７２】
図１６は、遊技機用分煙装置２０の制御部５０と遊技機３等との接続例を示している。遊技機用分煙装置２０の制御部５０は、ＣＰＵ（Central Processing Unit）、ＲＯＭ（Read Only Memory）、ＲＡＭ（Random Access Memory）などを主要部として構成されており、送風ユニット４０の制御および表示パネル３１が有する光源部３６の点灯制御を行う。
【００７３】
制御部５０には、計数機の機能を併せ持つ遊技媒体貸機４から球計数信号および返却球数信号、カード排出信号が入力される。また、遊技機３から出力される大当たり信号、スタート信号、確率変動信号がそれぞれ呼び出しランプユニット５２を経由して制御部５０に入力される。制御部５０は、点灯制御信号と送風制御信号を遊技機用分煙装置２０に対して出力する。制御部５０は、遊技機用分煙装置２０の内部あるいは外部に設けられる。
【００７４】
球計数信号は、遊技媒体貸機４の計数機部が遊技球を計数する毎に遊技媒体貸機４から出力される信号である。遊技者が保有している計数済みの遊技球は、遊技媒体貸機４に設けられた返却ボタンを操作することで、遊技媒体貸機４から遊技機３の上皿に所定数ずつ払い出されて遊技に使用することができる。返却球数信号は、上記の返却ボタンが操作されて遊技媒体貸機４が所定数の遊技球を払い出した場合に遊技媒体貸機４から出力され、返却した遊技球の数を表わしている。カード排出信号は、遊技者が遊技機３での遊技を終了したと判断するために遊技媒体貸機４から出力される。なお、カードとは会員カードやビジターカード等であり、カードには遊技媒体貸機４に投入された入金情報、該入金情報から遊技者に遊技球を貸すことによって生ずる貸球情報を減算した遊技価値情報や遊技媒体貸機４の計数機部で計数された計数情報が記憶される。
【００７５】
大当たり信号は、遊技機３で行われる可変表示遊技にて大当たり（特賞）が出たときに遊技機３から出力される。スタート信号は、遊技機３の始動口に遊技球が入る毎に出力される。可変表示遊技は、スタート信号に基づいて開始される。確率変動信号は、可変表示遊技において大当たりの出現する確率が通常よりも高い遊技状態となった場合に出力される信号である。
【００７６】
制御部５０は、球計数信号および返却球数信号に基づいて、遊技者が保有している遊技球の個数（持玉）を管理し、持玉数に応じて表示パネル３１の遊技価値表示絵柄３３が光るように、光源部３６の点灯状態を切り替える。各台計数機での持玉の計算は以下のように行う。
持球＝計数機の計数値−返却球数（持球により遊技＝再プレイ球数）
なお、持球に貸球数や再プレイ貯球数を加えてもよい。
【００７７】
また、カード排出信号に基づいて、遊技者が遊技機３での遊技を終了したと判断すると、持球数はゼロになる。（カード排出信号により遊技終了を判断しているが、カード挿入信号や遊技終了ボタン押下信号により遊技終了を判断してもよい。）なお、遊技媒体貸機４からカード排出信号が出力されていない場合は、遊技媒体貸機４から出力され返却球数信号によって遊技終了を判断する。例えば、通常、返却球数信号は、遊技媒体計数機４の計数機部で計数された計数値があるときに再プレイとしての遊技球数が出力されるものなので（遊技機の上皿に遊技球が少なくなった場合や無くなった場合、計数機部で計数した遊技球を上皿に戻す。）５００円１２５発単位で遊技媒体貸機４から出力される。しかし、遊技を終了した際には、計数機部で計数された遊技球数が全て出力されるので、例えば１０００発分の情報が出力されることにより再プレイとは出力される個数が異なるので遊技終了として判定する。
【００７８】
また、制御部５０は、大当たり信号やスタート信号、確率変動信号に基づいて、遊技機３が稼動中（遊技者による遊技中）か否かを判断する。すなわち、これらの信号の少なくとも１つが入力されている間は稼動中と判断し、これらの信号のいずれも入力されない状態が一定時間以上継続すると稼動中でないと判断する。遊技機３が稼動中か否かを判断するために使用する信号は上記に限定されるものではなく、たとえば、入玉信号やアウト玉信号などでもかまわない。
【００７９】
図１７は、遊技機３が、所謂、封入式のパチンコ機である場合における遊技機用分煙装置２０の制御部５０と遊技機３等との接続例を示している。封入式のパチンコ機では、少数の遊技球がパチンコ機の内部で循環使用され、パチンコ機が賞球やアウト球などの個数を逐次計数することで、遊技者の持玉数をパチンコ機自体で管理するようになっている。封入式遊技機の持球は以下のように計算される。
（１）持球＝貸球数＋賞球数−アウト球数＋ファール球数
（２）持球＝発射可能球数の超過球数−発射可能球数への移行球数
ここで、発射可能球数＝貸球数＋賞球数−アウト球数＋ファール球数、である。ファール球とは発射したが遊技に係わることなく、回収されて再び発射可能となる球である。発射可能球数とは、遊技者が保有する遊技価値のうち所定の上限値までの遊技価値について遊技球の発射が可能となる球である。また、発射可能球数の超過球数とは、発射可能球数が所定数を超えたときの球数である。なお、（１）の持球、（２）の発射可能球数に再プレイ貯球数を加えてもよい。
【００８０】
封入式の場合、遊技機３は、自機で管理している持玉数を示す持球情報信号を出力し、制御部５０には、図１６の球計数信号および返却球数信号に代えてこの持球情報信号が入力される。その他の構成や信号は図１６と同様でありその説明は省略する。
【００８１】
図１７の制御部５０は、持球情報信号とカード排出信号に基づいて、遊技者が保有している遊技球の個数を認識する。遊技機３が稼動中（遊技者が遊技中）か否かの判断については図１６の制御部５０と同様である。
【００８２】
次に、遊技機用分煙装置２０の機能・動作について説明する。
【００８３】
＜分煙機能＞
遊技機用分煙装置２０は、通常、仕切板ユニット３０および送風ユニット４０を引き出した突出状態で使用される。図１８は、仕切板ユニット３０と送風ユニット４０をそれぞれ突出状態にして送風ユニット４０を稼動させた場合の空気の流れを示している。送風ユニット４０は、整流板４２で風向きを規制することで、遊技機用分煙装置２０（あるいは遊技機３）の正面から遠ざかる方向成分を含む空気流であって、表示パネル３１に沿って流れた後にさらに表示パネル３１の外へ向かって流れる空気流を生じさせる。また、遊技機用分煙装置２０の正面に向かう向きの空気流は発生させない。すなわち、図１８の矢印Ｗで示すように、送風ユニット４０の吹出口４１から真上に向かう空気流および遊技機用分煙装置２０の正面手前側の斜め上方に向かう空気流を吹き出す。
【００８４】
図１９に示すように、遊技機用分煙装置２０の正面に近づく側の斜め上方に進む空気流Ｗｂが発生すると、その空気流Ｗｂが遊技機用分煙装置２０の正面にぶつかって反射し、真上や正面手前の斜め上方に向かう他の空気流Ｗａと衝突する。図中の破線の楕円Ｃで示す場所では空気流ＷｂとＷａとが衝突して流れが不安定になり、空気流が拡散したり渦まいたりする状態が生じる。その結果、真上や正面手前の斜め上方に向かう空気の流れが阻害されて、安定しなくなり、タバコの煙がある場所で停滞したり、拡散したりして、分煙が適切に行われなくなる。
【００８５】
本実施の形態の遊技機用分煙装置２０では、遊技機用分煙装置２０の正面に近づく向きの空気流Ｗｂを発生させないので、図１８に示すように、真上および遊技機用分煙装置２０の正面手前の斜め上方に向かう空気流が安定し、タバコの煙を効率よく上方へ排出して分煙をすることができる。
【００８６】
また、遊技機用分煙装置２０では、表示パネル３１に沿って空気流を発生させるので、比較的弱い空気流であっても、拡散し難い安定した空気の流れが確保される。すなわち、表示パネル３１を設けずに、単なるエアカーテンで分煙する場合には、空気流が弱いと空気の流れが乱れ易く、また次第に空気流が拡散してしまう。そのため、十分な分煙効果を確保するには、強い空気流を発生させる必要があり、モータやファンが大型になる。本実施の形態の遊技機用分煙装置２０では、表示パネル３１による仕切り作用と、この表示パネル３１に沿って流す空気流による排煙作用とを併用するので、比較的弱い空気流であっても十分な分煙効果を得ることができ、送風ユニット４０のファンやモータを小型にすることができる。また消費電力も少ない。
【００８７】
また、本実施の形態の遊技機用分煙装置２０では、上記の併用により、仕切板単独で分煙する場合に比べて、仕切板を小型化することができる。特に、遊技機３の正面手前側への仕切板ユニット３０（表示パネル３１）の突出量を少なくすることができる。
【００８８】
本実施の形態ではさらに、遊技機用分煙装置２０の正面手前（正面が臨む方向）の斜め上方へ向かう空気流を発生させるので、仕切板ユニット３０の存在する範囲よりさらに正面手前側にエアカーテンが延設形成され、より広範囲を分煙することができる。詳細には、図２０に示すように、仕切板ユニット３０の表示パネル３１の下端部が送風ユニット４０よりも正面手間側に突出しているので、送風ユニット４０から正面手前の斜め上方に吹き出した空気流Ｗは、当初、表示パネル３１に沿って流れる（領域Ａ参照）。これにより、表示パネル３１に対して垂直方向に空気流が拡散することが防止されると共に方向性も規制される。
【００８９】
この表示パネル３１によって広がりや方向性の規制された空気流Ｗは、表示パネル３１に沿って斜め上方にさらに進み、やがて表示パネル３１の縁部３１ｃから表示パネル３１の外へと進み、表示パネル３１よりさらに手前側に延びるエアカーテン（領域Ｂ参照）を形成する。このように、当初、仕切板ユニット３０の表示パネル３１に沿わせて空気流の向きや広がりを規制するので、仕切板ユニット３０の存在範囲を超えた領域Ｂにおいてもエアカーテンを効率良く形成することができる。
【００９０】
また、図２１に示すように、表示パネル３１に対して送風ユニット４０を右側にシフトして配置してあるので、送風ユニット４０は、表示パネル３１の右側の面に沿う空気流Ｗを発生させる。表示パネル３１の右側の面は、遊技機３のハンドル１７がある側とは反対の遊技機左側部を、その近傍から臨む面である。前述したように、遊技者は、一方の手（この場合、右手）でハンドル１７を操作し、喫煙する場合は通常、他方の手（この場合、左手）でタバコを保持する。従って、表示パネル３１の右側面は、喫煙する遊技者がタバコを持つ方の手（左手）を、その近傍から臨む位置となる。そのため、表示パネル３１の右側面に沿って空気流を発生させることで、タバコの煙を効率よく空気流で上方へ運び去って、隣の席に漏れないようにすることができる。
【００９１】
また、送風ユニット４０の吸気口４３は、送風ユニット４０の左側面に設けてあるので、タバコの煙が吸気口４３から吸引されることはほとんどない。これにより、送風ユニット４０の内部がタバコの煙で汚れることが防止される。さらに、吸気口４３から吸い込まれた煙が吹出口４１から吹き出される空気流となって広範囲に広がることもない。
【００９２】
また、送風ユニット４０の吸気口４３や吹出口４１にはフィルタを設けていない。これにより、保守管理が容易になっている。また、仕切板ユニット３０の表示パネル３１に沿って空気流を発生させるので、タバコの煙が表示パネル３１に直接当たることがなく、表示パネル３１の表面にヤニ等が付着せず、掃除しなくても、綺麗な状態を維持することができる。特に、仕切板ユニット３０の表示パネル３１では遊技価値表示絵柄３３によって遊技価値情報を表示するので、汚れが付着し難いことで、綺麗な表示を維持することができる。
【００９３】
なお、上方に運ばれた煙は、遊技場の天井などに設けられている換気装置によって場外へ排出等される。
【００９４】
＜収納機能＞
遊技機用分煙装置２０の仕切板ユニット３０および送風ユニット４０は筐体部２１内へ押し込み収納することができる。たとえば、玉箱５が載置されている天板を清掃するときや、点検などのために遊技機３の前扉（ガラス扉）を開くときに、仕切板ユニット３０および送風ユニット４０を収納状態にすることで、仕切板ユニット３０や送風ユニット４０が邪魔にならずに清掃や点検等を行うことができる。
【００９５】
なお、遊技場の営業時間中は、常に仕切板ユニット３０および送風ユニット４０を引き出した突出状態で使用することが好ましい。
【００９６】
＜送風制御＞
遊技機用分煙装置２０の制御部５０は、以下の条件で送風ユニット４０の動作を制御する。
（１）収納検知部２６により、送風ユニット４０が収納状態にあることが検出されているときは、送風を強制停止する。
（２）収納検知部２６により、送風ユニット４０が突出状態にあることが検知されているときであって、遊技機３からの信号により隣接する遊技機３（本例では遊技機用分煙装置２０の右隣の遊技機３）が稼動中（遊技中）であると判定した場合は送風ユニット４０を動作させる。
（３）収納検知部２６により、送風ユニット４０が突出状態にあることが検知されているときであっても、遊技機３からの信号により隣接する遊技機３（本例では遊技機用分煙装置２０の右隣の遊技機３）が稼動中でないと判定した場合は送風ユニット４０による送風を停止させる。
【００９７】
上記（１）の制御により、収納状態で送風ユニット４０が稼動することが防止される。上記（２）（３）の制御により、遊技者が遊技を実施しているときは送風ユニット４０が稼動し、遊技者が居ないときは送風を停止するので、送風ユニット４０の無駄な稼動が防止されて節電に貢献する。
【００９８】
＜仕切板ユニット３０の点灯制御＞
遊技機用分煙装置２０の制御部５０は、遊技媒体貸機４から入力される球計数信号と返却球数信号とカード排出信号、もしくは封入式の遊技機の場合には持球情報信号とカード排出信号に基づいて、遊技機用分煙装置２０に隣接する遊技機３（遊技機用分煙装置２０の右隣の遊技機３）で遊技している遊技者が保有する持玉数を計数し、その持玉数に応じて仕切板ユニット３０の光源部３６の点灯を制御する。
【００９９】
たとえば、玉箱１箱分の持玉量をＭ個とし、計数管理している持玉数をＮ個とすると、ＮをＭで割った商が持玉に対応した玉箱数となる。そして、その玉箱数に応じて、図２２に示すように光源部３６を点灯制御する。すなわち、玉箱数が０ならば光源部３６を全消灯し、玉箱数が１ならば、表示パネル３１に８段重ねで形成された遊技価値表示絵柄３３のうちの最下段の遊技価値表示絵柄３３に対応するブロックの光源部３６のみを第１色で点灯させる。図中、「○」は点灯「−」は消灯を示している。なお、最下段を１段目、最上段を８段目とする。
【０１００】
玉箱数が２ならば、１段目と２段目の遊技価値表示絵柄３３に対応する２つのブロックの光源部３６を第１色で点灯させる。玉箱数が３ならば、１段目〜３段目までの遊技価値表示絵柄３３に対応する３つのブロックの光源部３６を第１色で点灯させる。以下同様にして順次点灯ブロック数を増加させ、玉箱数が８のとき、１段目から８段目までの遊技価値表示絵柄３３に対応する８つのブロックの光源部３６を第１色で点灯させる。
【０１０１】
玉箱数が９〜１６の場合は、第２色で光源部３６を点灯させる。すなわち、玉箱数９のとき１段目のみを、玉箱数１０のとき１段目と２段目を、玉箱数１１のとき１段目〜３段目までを、玉箱数１２のとき１段目〜４段目までを、……、玉箱数１６のとき１段目〜８段目までを、第２色で点灯する。同様にして玉箱数が１７〜２４の間は、点灯数を順次増やして光源部３６を第３色で点灯させる。
【０１０２】
このように発光色を変えることで、０箱から４８箱までの玉箱数を８段の遊技価値表示絵柄３３のみで表現するようになっている。
【０１０３】
また、表示パネル３１は隣り合う遊技価値表示絵柄３３と遊技価値表示絵柄３３の間に空間部３４を有するので、各ブロックの光源部３６が発する光が隣のブロックに対応する遊技価値表示絵柄３３の領域へ漏れることが軽減され、玉箱単位（遊技価値表示絵柄３３単位）の点灯消灯を適切に表示することができる。すなわち、光源部３６によって表示パネル３１の端面３１ａから表示パネル３１の内部に向けて光が照射された際に、その光が表示パネル３１の全面にわたることがなく、空間部３４で光が遮断されるので、隣り合うブロックの光源部３６を色違いに発光させた場合には色が混じってしまうことがなく表示パネル３１の図柄や文字（ここでは遊技価値表示絵柄３３）を見易くてかつ綺麗に表示することができる。
【０１０４】
なお、玉箱１箱分の持玉量Ｍ個を何個にするかを選択可能になっている。たとえば、設定１では４００個、設定２では８００個、設定３では１２００個、設定４では１５００個となる。また、前述した第１色、第２色、第３色・・・をそれぞれ何色にするかを切り替え設定可能になっている。図２３は、設定ａ〜設定ｄについて、玉箱数と点灯色（点滅を含む）との関係の一例を示している。点灯色はこれらに限定されるものではない。
【０１０５】
このほか、大当たりが発生したときや確率変動時に光源部３６を点灯させて演出表示することも可能になっている。演出表示を行うか否か、およびその演出内容は各種設定でき、設定に従って演出表示が行われる。
【０１０６】
ここでは、大当たり時の演出表示について
設定Ａ１：演出表示しない、
設定Ａ２：玉箱数に応じて点灯中の箇所（ブロック）のみ、短周期で点滅させる
設定Ａ３：全ての箇所（全ブロック）を、短周期で点滅させる
のいずれかを選択して設定できる。
【０１０７】
また、確率変動時の演出表示について
設定Ｂ１：演出表示しない、
設定Ｂ２：玉箱数に応じて点灯中の箇所（ブロック）のみ、長周期で点滅させる
設定Ｂ３：全ての箇所（全ブロック）を、長周期で点滅させる
のいずれかを選択して設定できる。
【０１０８】
このように分煙用の仕切板ユニット３０に、遊技機３で遊技中の遊技者が保有している遊技価値情報の表示や演出表示を行うので、単なる仕切板とする場合に比べ、スペースが有効活用される。
【０１０９】
さらに、各台計数機や封入式遊技機での遊技価値情報を遊技価値表示絵柄３３によって表示パネル３１に表示するので、遊技客に対して出玉感を与えることができる。
【０１１０】
＜その他の機能＞
遊技機用分煙装置２０のＰＯＰ広告収納部２３には、広告板を出し入れ可能になっており、広告板による広告を行うことができる。
【０１１１】
以上のように、遊技機用分煙装置２０は分煙機能や表示機能などを併せ持つので、機能別に個別の装置を設ける場合に比べて、遊技機島２における余分なスペースをとらなくてもよく、スペースが有効に利用される。
【０１１２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１３】
実施の形態では遊技機３がパチンコ機である場合を例に説明したが、スロットマシンなど他の種類の遊技機でもかまわない。この場合、その遊技機で遊技する遊技者がタバコを持つであろうと想定される方の手の位置に応じて、遊技機用分煙装置２０の配置や表示パネル３１の左右どちらの面に沿って空気流を発生させるかを決めればよい。すなわち、遊技機のうち、タバコを持つ手側の側部に併設して遊技機用分煙装置２０を設置し、この設置位置にて先の遊技機を臨む側の面に沿って空気流を発生させればよい。なお、タバコを遊技客がどちらの手で持つかは、遊技中に操作するハンドルやスイッチが遊技機のどちら側に配置されているかに依存するので、ハンドルやスイッチの配置を基準に遊技機用分煙装置２０の設置位置や空気流を表示パネル３１のどちら側の面に発生させるかを決めればよい。
【０１１４】
実施の形態では多数の遊技機３を収容した遊技機島２を例に説明したが、２台以上の遊技機が併設されればよい。さらに、遊技機用分煙装置２０は単独で設置される遊技機３に使用されてもよい。
【０１１５】
実施の形態では仕切板ユニット３０および送風ユニット４０を収納可能に構成したが、常に突出状態に固定される構成でもかまわない。また、掃除や隣接する遊技機の扉開放のために、たとえば、基端を遊技機用分煙装置２０の筐体部２１の正面部に取り付け、該基端をヒンジとして仕切板ユニット３０や送風ユニット４０が回動するように構成されてもよい。
【０１１６】
実施の形態では、送風ユニット４０を仕切板ユニット３０の下方に配置して、下から上に向かう空気流を発生させる例を好適例として示したが、送風ユニット４０の設置位置はこれに限定されるものではない。たとえば、送風ユニット４０を仕切板ユニット３０の上方に配置し、表示パネル３１に沿って上から下に向かう空気流を発生させたり、送風ユニットをラインファンとし、遊技機用分煙装置２０の正面に沿って縦にラインファンを設置し、遊技機用分煙装置２０の正面から表示パネル３１に沿って正面手前側に向けて空気流を生じさせる構成でもよい。
【０１１７】
実施の形態では、表示パネル３１の一方の面に沿って空気流を発生させたが、送風量が十分であれば、表示パネル３１の両面のそれぞれに沿って空気流を発生させてもよい。たとえば、遊技者がタバコを他方の手に持ち替えたような場合にも対応可能になる。なお、一方の面に空気流を集中することで、少ない空気流発生量で分煙効果の高いエアカーテンを形成することができる。
【０１１８】
表示パネル３１への表示内容は実施の形態で示した遊技価値表示絵柄３３に限定されない。また、遊技価値表示絵柄３３を、玉箱１箱分の遊技球の絵柄としたが、遊技価値の表示形態はこれに限定されるものではなく、玉箱の絵柄でもよいし、数字や文字、棒グラフなどで表わしてもかまわない。
【０１１９】
送風ユニット４０は、たとえば、タバコの煙を検知するセンサを設け、該センサがタバコの煙を検知したことに基づいて稼動させるようにしてもよい。
【符号の説明】
【０１２０】
２…遊技機島
３…遊技機
４…遊技媒体貸機
５…玉箱
５ｂ…計数機排出管
６…上部タンク
７…補給路
８…回収路
９…揚送装置
１１…下部貯留タンク
１２…紙幣金庫
１３…硬貨金庫
１４…搬送装置
１６…遊技盤
１７…ハンドル
１８…灰皿
２０…遊技機用分煙装置
２１…筐体部
２２…開口
２３…ＰＯＰ広告収納部
２４…ガイドレール
２５…支持レール
２６…収納検知部
３０…仕切板ユニット
３１…表示パネル
３１ａ…端面
３１ｃ…縁部
３２…光源部ユニット
３３…遊技価値表示絵柄
３４…空間部
３５…フレーム
３５ａ…基部
３５ｂ…腕部
３６…光源部
３６ｂ…配線
３７、３７ａ、３７ｂ…フィルムシート
４０…送風ユニット
４１…吹出口
４２…整流板
４３…吸気口
５０…制御部
５２…呼び出しランプユニット
Ａ…表示パネル内で空気流通過領域
Ｂ…表示パネル外の空気流領域
Ｃ…空気流が衝突する領域
Ｗ…空気流
【図１】
2012249650.tif 000003
【図２】
2012249650.tif 000004
【図３】
2012249650.tif 000005
【図４】
2012249650.tif 000006
【図５】
2012249650.tif 000007
【図６】
2012249650.tif 000008
【図７】
2012249650.tif 000009
【図８】
2012249650.tif 000010
【図９】
2012249650.tif 000011
【図１０】
2012249650.tif 000012
【図１１】
2012249650.tif 000013
【図１２】
2012249650.tif 000014
【図１３】
2012249650.tif 000015
【図１４】
2012249650.tif 000016
【図１５】
2012249650.tif 000017
【図１６】
2012249650.tif 000018
【図１７】
2012249650.tif 000019
【図１８】
2012249650.tif 000020
【図１９】
2012249650.tif 000021
【図２０】
2012249650.tif 000022
【図２１】
2012249650.tif 000023
【図２２】
2012249650.tif 000024
【図２３】
2012249650.tif 000025